(57)【要約】【課題】コンクリート柱から接地測定用端子を、安全、かつ作業効率よく抜き取る。【解決手段】四角筒状のパイプ部材で形成された握持部１１０と、２枚の板状部材１２２ａ，１２２ｂで形成された作用部１２０とが、Ｌ字状に接続される。作用部１２０の先端側には、接地測定用端子２１０に取り付けられる足場ボルト３１０に係止する係止部１２１が形成される。握持部１１０と作用部１２０との接続部分を支点として、当該握持部１１０が傾動されると、梃子の原理で作用部１２０は接地測定用端子２１０の抜き取り方向に移動していく。この際、接地測定用端子２１０は足場ボルト３１０を通じて抜き取り方向に引っ張られるため、コンクリート柱２０１から接地測定用端子２１０が抜き取られる。作用部１２０には逃げ凹部１２３が形成されており、抜き取られていく接地測定用端子２１０の作用部１２０との接触が防止されている。【選択図】図５
2009039795.tif 000002
【特許請求の範囲】
【請求項１】
被取り付け体に埋め込まれた埋め込み部材を、該埋め込み部材に取り付けられたボルト状部材を利用して抜き取る埋め込み部材取り外し工具であって、
握持部と、
上記握持部の一端側に、一端側が接続され、他端側に上記ボルト状部材に係止する係止部が形成された作用部とを備え、
上記握持部と上記作用部との接続部分を支点として上記握持部を傾動させるとき、上記作用部は、上記埋め込み部材に取り付けられた上記ボルト状部材を上記埋め込み部材の抜き取り方向に移動させ、
上記作用部の上記他端側に、上記被取り付け体から抜き取られる上記埋め込み部材との接触を防止する逃げ凹部が形成されている
ことを特徴とする埋め込み部材取り外し工具。
【請求項２】
上記作用部は、上記握持部の一端側に、該一端側を挟持した状態で接続された、第１の板状部材および第２の板状部材により構成されている
ことを特徴とする請求項１に記載の埋め込み部材取り外し工具。
【請求項３】
上記第１の板状部材および上記第２の板状部材の間に、上記係止部の上記ボルト状部材に対する係止位置を規制し、かつ上記第１の板状部材および上記第２の板状部材の間隔を一定値に保持するためのスペーサが配されている
ことを特徴とする請求項２に記載の埋め込み部材取り外し工具。
【請求項４】
上記支点となる上記握持部と上記作用部との接続部分に、該接続部分を２個所で上記被取り付け体に接触させるための逃げ凹部が形成されている
ことを特徴とする請求項１に記載の埋め込み部材取り外し工具。
【請求項５】
上記握持部は、四角筒状のパイプ部材により形成されている
ことを特徴とする請求項１に記載の埋め込み部材取り外し工具。
【請求項６】
上記被取り付け体はコンクリート柱であり、
上記埋め込み部材は、上記ボルト状部材を取り付けるためのネジ穴を有する接地測定用端子である
ことを特徴とする請求項１に記載の埋め込み部材取り外し工具。
【発明の詳細な説明】
【技術分野】
【０００１】
この発明は、例えば、コンクリート柱の接地測定用端子等の埋め込み部材を取り外す埋め込み部材取り外し工具に関する。
【背景技術】
【０００２】
図７は、コンクリート柱２０１を用いた配電柱部分の構成例を示している。コンクリート柱２０１は、内部が空洞となった、筒状の構造となっている。また、このコンクリート柱２０１は、上端の径が下端の径より小さくされ、下端から上端に向かって細くなるように、１／７５，１／１１０等のテーパが付けられている。このように、コンクリート柱２０１にテーパを付けることで、軽量化が可能となり、また上端側における風の影響を軽減することが可能となる。
【０００３】
コンクリート柱２０１の上部には、腕金２０２ａ，２０２ｂが、腕金取り付けバンド２０３ａ，２０３ｂを用いて、取り付けられている。腕金２０２ａには、碍子を介して、例えば、６６００Ｖの高圧線２０４が支持されている。また、腕金２０２ｂには、碍子を介して、例えば、１００Ｖ，２００Ｖの低圧線２０５が支持されている。
【０００４】
また、コンクリート柱２０１の上部には、ボルト、取り付けバンド等を用いて、変圧器支持台２０６が固定されている。変圧器２０７は、変圧器支持台２０６に載置されている共に、変圧器取り付けバンドを用いて、コンクリート柱２０１に固定されている。高圧線２０４の高圧は変圧器２０７により下げられて低圧とされた後に低圧線２０５に与えられる。
【０００５】
このコンクリート柱２０１には、接地測定用端子２１０が埋め込まれている。図８は、コンクリート柱２０１の接地測定用端子２１０が埋め込まれた部分を拡大して示している。接地測定用端子２１０は、その筐体２１１の表面がコンクリート柱２１０の表面と面一となるように、埋め込まれている。
【０００６】
図９は、接地測定用端子２１０の構成例を示している。この接地測定用端子２１０は、プラスチック製の筐体２１１の表側の中央部に、雌ねじが切られているねじ穴２１２が形成されている。このねじ穴２１２の中央部に、接地電極としての芯線２１３が露出している。筐体２１１の裏側には、芯線２１３に電気的に接続されている２本の電線２１４，２１５が存在する。電線２１４は、コンクリート柱２０１の上部に設けた変圧器２０７の接地端子に接続される。電線２１５は、接地極に接続されている。このように、変圧器２０７の接地端子を電線２１４および電線２１５を介して接地することで、安全の確保が行われている。
【０００７】
特許文献１に記載されるように、電力会社においては、定期的に、例えば３〜４年毎に、各電柱の接地抵抗を測定し、抵抗値が規格値以内に入っているか否かを検査している。このような接地抵抗の測定は、図示しない測定器の端子を、上述の接地測定用端子２１０の芯線２１３に接触させることで、行うことができる。
【０００８】
上述した接地測定用端子２１０は、芯線２１３に電線２１４，２１５が接続された構成となっているが、場合によっては、これらの電線２１４，２１５を切り離して測定しなければならないこともある。しかし、電線２１４，２１５は、筐体２１１の裏側で芯線２１３に接続されており、これら電線２１４，２１５を切り離すことができない。また、上述した接地測定用端子２１０は、充電部ではないが、芯線２１３が露出した状態にある。
【０００９】
そこで、従来、上述したようにコンクリート柱２０１に埋め込まれている接地測定用端子２１０を、両電線の切り離しが可能であると共に、接地電極としての芯線をカバーで隠すことができる、新たな接地測定用端子に切り替えることが行われている。
【００１０】
従来、コンクリート柱２０１に埋め込まれている接地測定用端子２１０の取り外しは、図１０に示すような足場ボルト３１０を用いて行われている。この足場ボルト３１０においては、先端側の雄ねじ部３１１にナット３１２が螺合されている。この足場ボルト３１０は、通常、電柱の足場位置に取り付けられて、足場として使用される。その場合、電柱の足場位置に設けられている雌ねじ部に雄ねじ部３１１が螺合され、その後にナット３１２が電柱の雌ねじ部に圧接するように回転され、当該足場ボルト３１０が電柱に緩まないように取り付けられる。
【００１１】
なお、この足場ボルト３１０にあっては、コンクリート柱２０１に埋め込まれている接地測定用端子２１０の取り外しに用いられるものであることから、先端に芯線２１２（図９参照）との接触を避けるための、特に加工されて中空部３１３が形成されている。上述したように電柱の足場位置に取り付けられて足場として使用される足場ボルト３１０には、当該中空部３１３は存在しない。
【００１２】
この足場ボルト３１０を用いてコンクリート柱２０１に埋め込まれている接地測定用端子２１０を取り外す際、まず、作業者は、図１１に示すように、足場ボルト３１０の雄ねじ部３１１を接地測定用端子２１０の筐体２１１のねじ穴２１２にねじ込み、当該足場ボルト３１０を接地測定用端子２１０に取り付ける。次に、作業者は、足場ボルト３１０を矢印で示すように揺らしながら腕力でコンクリート柱２０１から接地測定用端子２１０を抜き取る。
【特許文献１】特開平９−５３７０号公報
【発明の開示】
【発明が解決しようとする課題】
【００１３】
図７に示すように、コンクリート柱２０１における接地測定用端子２１０の取り付け位置は、作業者の目線より上である。そのため、コンクリート柱２０１から接地測定用端子２１０を抜き取る場合、作業位置が高いことから、作業者は脚立等を利用している。そのため、上述したように足場ボルト３１０を揺らしながら腕力でコンクリート柱２０１から接地測定用端子２１０を抜きとる場合、コンクリート柱２０１の根元が平地でないときは、抜けたときの反動で作業員の姿勢が不安定となり、作業員が思わぬけがをするおそれがある。
【００１４】
また、腕力で抜けないときは、足場ボルト３１０の頭部をハンマーで打撃することで、コンクリート柱２０１から接地測定用端子２１０を抜き取ることが行われるが、ハンマー打撃時に発生する金属片で眼球を負傷するおそれがある。
【００１５】
この発明の目的は、被取り付け体に埋め込まれた埋め込み部材の抜き取りを安全、かつ作業効率よく、行い得るようにすることにある。
【課題を解決するための手段】
【００１６】
この発明の概念は、
被取り付け体に埋め込まれた埋め込み部材を、該埋め込み部材に取り付けられたボルト状部材を利用して抜き取る埋め込み部材取り外し工具であって、
握持部と、
上記握持部の一端側に、一端側が接続され、他端側に上記ボルト状部材に係止する係止部が形成された作用部とを備え、
上記握持部と上記作用部との接続部分を支点として上記握持部を傾動させるとき、上記作用部は、上記埋め込み部材に取り付けられた上記ボルト状部材を上記埋め込み部材の抜き取り方向に移動させ、
上記作用部の上記他端側に、上記被取り付け体から抜き取られる上記埋め込み部材との接触を防止する逃げ凹部が形成されている
ことを特徴とする埋め込み部材取り外し工具にある。
【００１７】
この発明においては、握持部と作用部とを備える構成とされる。この場合、握持部の一端側に作用部の一端側が接続され、この作用部の他端側に、埋め込み部材に取り付けられたボルト状部材に係止する係止部が形成されている。被取り付け体（例えば、コンクリート柱）に埋め込まれた埋め込み部材（例えば、接地測定用端子）の抜き取りを行う場合、この埋め込み部材にボルト状部材が取り付けられ、このボルト状部材に作用部に形成された係止部が係止される。
【００１８】
この状態で、握持部と作用部との接続部分を支点として握持部が傾動されると、梃子の原理で作用部は埋め込み部材の抜き取り方向に移動していく。この際、被取り付け体に埋め込まれている埋め込み部材はボルト状部材を通じて抜き取り方向に引っ張られるため、埋め込み部材が被取り付け体から抜き取られていく。この場合、係止部は支点を中心に円弧を描いて移動していくが、作用部には逃げ凹部が形成されているので、被取り付け体から抜き取られていく埋め込み部材が作用部に接触することが防止され、埋め込み部材の抜き取りがスムーズに行われる。
【００１９】
このように、この発明においては、従来のように足場ボルトを揺らしながら作業者が腕力で抜き取りを行うものではなく、梃子の原理を利用して取り付け体から埋め込み部材をスムーズに抜き取るようにしたものであり、安全、かつ作業効率よく、被取り付け体から埋め込み部材は抜き取ることができる。
【００２０】
また、この発明において、例えば、作用部は、握持部の一端側に、この一端側を挟持した状態で接続された、第１の板状部材および第２の板状部材により構成されてもよい。この場合、作用部は、２枚の板状部材で構成されるので、取り外し工具の軽量化が可能となる。そして、この場合、２つの板状部材の間に、係止部のボルト状部材に対する係止位置を規制し、かつ２枚の板状部材の間隔を一定値に保持するためのスペーサが配されていてもよい。スペーサが配されることで、２つの板状部材の間隔が広がり過ぎて、ボルト状部材への係止が不可能となることが防止される。また、スペーサの配置位置により、板状部材に過度のストレスを与えず、しかも、作業者ができるだけ弱い力で抜き取りが可能となるように、係止部のボルト状部材に対する係止位置の目安を与えることができる。
【００２１】
また、この発明において、例えば、支点となる握持部と作用部との接続部分に、この接続部分を２個所で被取り付け体に接触させるための逃げ凹部が形成されてもよい。このように支点となる握持部と作用部との接続部分を２個所で被取り付け体に接触させる場合、例えば被取り付け体の表面が曲面であっても、安定した接触が可能となる。
【００２２】
また、この発明において、例えば、握持部は、四角筒状のパイプ部材により形成されてもよい。この場合、握持部の内部は空洞であるので、握持部にある程度の強度を持たせた状態で、取り外し工具の軽量化が可能となる。
【発明の効果】
【００２３】
この発明によれば、安全、かつ作業効率よく、被取り付け体に埋め込まれた埋め込み部材の抜き取りを行うことができる。
【発明を実施するための最良の形態】
【００２４】
図１は、実施の形態としての、接地測定用端子の取り外し工具１００の構成例を示す斜視図である。また、図２（ａ）は取り外し工具１００の正面図、図２（ｂ）は取り外し工具１００の左側面図、図２（ｃ）は取り外し工具１００の背面図を示している。また、図３（ａ）は取り外し工具１００の平面図、図３（ｂ）は取り外し工具１００の左側面図、図３（ｃ）は取り外し工具１００の底面図を示している。
【００２５】
この取り外し工具１００は、コンクリート柱に埋め込まれた接地測定用端子を、この接地測定用端子に取り付けられたボルト状部材、例えば足場ボルト（ボルト状部材）を利用して抜き取るものである。この取り外し工具１００は、作業者が握って操作する握持部１１０と、作用部１２０とを備えている。
【００２６】
握持部１１０の一端側に、作用部１２０の一端側が接続されている。この作用部１２０の他端側に、上述の足場ボルトに係止する係止部１２１が形成されている。このような握持部１１０と作用部１２０とが接続された状態では、図示のように、握持部１１０の長手方向と作用部１２０の長手方向とは、ほぼ直交した状態となっている。つまり、取り外し工具１００は、全体として、Ｌ字状の外形を持っている。
【００２７】
握持部１１０は、四角筒状のパイプ部材により形成されている。このパイプ部材は、例えば、軽量で、ある程度の強度を持っているアルミニウム製とされるが、これに限定されるものではない。
【００２８】
また、作用部１２０は、２枚の板状部材１２２ａ，１２２ｂにより構成されている。この板状部材１２２ａ，１２２ｂは、例えば、軽量で、ある程度の強度を持っているアルミニウム製とされるが、これに限定されるものではない。２枚の板状部材１２２ａ，１２２ｂの一端側は、握持部１１０の一端側を挟持した状態で、当該握持部１１０の一端側に、ボルト１３１およびナット１３２を用いて固定されている。なお、この実施の形態においては、ボルト１３１およびナット１３２を２組だけ用いたものであるが、３組以上用いてもよい。因みに、ボルト１３１およびナット１３２は、例えば、ステンレス製である。
【００２９】
ここで、図３（ａ）〜（ｃ）に示すように２枚の板状部材１２２ａ，１２２ｂの一端側が接続される、握持部１１０の一端側の内部には、補強用部材１３３が挿入されている。この実施の形態において、補強用部材１３３としては、例えば、アルミニウム部材が使用されている。この実施の形態においては、図示のように、３枚の板状部材が使用されたものであるが、１本の柱状部材であってもよい。このように補強用部材１３３を挿入するのは、接続部分の強度を増すためである。
【００３０】
例えば、握持部１１０として長さＬａが３８０mmで、断面が２５mm×１５mmのアルミ角パイプが使用されるとき、補強用部材１３３の挿入長さＬｃは５０mmとされる。因みに、この場合、作用部１２０の長さＬｂは９５mmとされる。なお、これらの長さは一例であって、これに限定されるものではない。
【００３１】
取り外し工具１００においては、後述するように、握持部１１０と作用部１２０との接続部分を支点として握持部１１０を傾動させることで、作用部１２０により、接地測定用端子２１０に取り付けられた足場ボルト３１０を当該接地測定用端子２１０の抜き取り方向に移動させ、当該接地測定用端子２１０をコンクリート柱２０１から抜き取る。
【００３２】
そのため、作用部１２０の、握持部１１０に接続されている側とは反対側（他端側）に、コンクリート柱２０１から抜き取られる接地測定用端子２１０との接触を防止する逃げ凹部１２３が形成されている。すなわち、２枚の板状部材１２２ａ，１２２ｂの、握持部１１０に接続されている側とは反対側に、逃げ凹部１２３が形成されている。
【００３３】
また、作用部１２０を構成する２枚の板状部材１２２ａ，１２２ｂの間に、合成樹脂製のスペーサ１２４が配される。このスペーサ１２４は円筒状に形成されたもので、ビス１３４およびナット１３５を用いて、板状部材１２２ａ，１２２ｂの間に固定される。このスペーサ１２４は、２枚の板状部材１２２ａ，１２２ｂの間隔を一定値に保持し、さらに、係止部１２１の足場ボルト３１０に対する係止位置を規制するためのものである。
【００３４】
スペーサ１２４の配置位置は、例えば、足場ボルト３１０に対して当該スペーサ１２４が接した状態で係止部１２１が係止されるとき、板状部材１２２ａ，１２２ｂに過度のストレスを与えず、しかも、作業者ができるだけ弱い力で抜き取りが可能となるように、設定されている。
【００３５】
また、作用部１２０を構成する２枚の板状部材１２２ａ，１２２ｂの、握持部１１０に接続されている側とは反対側（他端側）の先端にある、矢印Ｐで示す角部は、面取りされている。上述したように、コンクリート柱２０１から接地測定用端子２１０を抜き取る場合、足場ボルト３１０に係止される係止部１２１は支点を中心に円弧を描いて移動していくが、その過程で上述した矢印Ｐで示す角部が足場ボルト３１０の雄ねじ部３１１に螺合されているナット３１２に当接した状態に移っていく。当該角部が上述したように面取りされていることで、当該角部がナット３１２に当接した状態に滑らかに移行できるようになる。
【００３６】
上述したように、取り外し工具１００においては、握持部１１０と作用部１２０との接続部分を支点として握持部１１０を傾動させることで、作用部１２０により、接地測定用端子２１０に取り付けられた足場ボルト３１０を当該接地測定用端子２１０の抜き取り方向に移動させ、当該接地測定用端子２１０をコンクリート柱２０１から抜き取るようにされる。この実施の形態においては、図２（ｃ）に示すように、支点となる握持部１１０と作用部１２０との接続部分に、この接続部分を２個所でコンクリート柱２０１の外面に接触させて、接触の安定化を図るために、逃げ凹部１１１が形成されている。この実施の形態においては、握持部１１１の背面側の下端が、コンクリート柱２０１の曲率より大きな曲率で円弧状に切り取られることで、逃げ凹部１１１が形成されている。
【００３７】
次に、上述した取り外し工具１００を用いてコンクリート柱２０１に埋め込まれた接地測定用端子２１０を抜き取る場合の手順を、図４、図５を参照して説明する。
【００３８】
まず、作業者は、図４（ａ）に示すように、コンクリート柱２０１に埋め込まれている接地測定用端子２１０（図９参照）に足場ボルト３１０（図１０参照）を取り付ける。この場合、接地測定用端子２１０のねじ穴２１２に足場ボルト３１０の先端側の雄ねじ部３１１がねじ込まれることで、接地測定用端子２１０に対する足場ボルト３１０の取り付けが行われる。
【００３９】
次に、作業者は、図４（ｂ）に示すように、取り外し工具１００を設置する。この場合、取り外し工具１００の作用部１２０の先端側に形成された係止部１２１は、接地測定用端子２１０に取り付けられた足場ボルト３１０に係止される。つまり、作用部１２０を構成する２枚の板状部材１２２ａ，１２２ｂの先端側が、足場ボルト３１０の雄ねじ部３１１を挟んだ状態で、当該足場ボルト３１０のナット３１２とコンクリート柱２０１の外面との間に位置する状態とされる。この場合、足場ボルト３１０の位置は、その雄ねじ部３１１がスペーサ１２４に接触する程度の位置とされる。
【００４０】
次に、作業者は、図５に示すように、握持部１１０と作用部１２０との接続部分を支点として、当該握持部１１０を、矢印Ｑで示す方向に傾動させる。この場合、足場ボルト３１０に係止される係止部１２１は支点を中心に円弧を描いて移動していく。この係止部１２１の移動に伴って、接地測定用端子２１０に取り付けられた足場ボルト３１０が当該接地測定用端子２１０の抜き取り方向に移動していくため、図示のように、コンクリート柱２０１から接地測定用端子２１０が抜き取られる。
【００４１】
ここで、作用部１２０（１２２ａ，１２２ｂ）には、上述したように逃げ凹部１２３が形成されているので、上述したように接地測定用端子２１０が抜き取られる途中で、当該接地測定用端子２１０が作用部１２０に接触することが防止され、接地測定用端子２１０の抜き取り作業を支障なく行うことができる。
【００４２】
上述したように、図１に示す接地測定用端子の取り外し工具１００においては、握持部１１０と作用部１２０との接続部分を支点として握持部１１０を傾動させ、梃子の原理で作用部１２０を接地測定用端子２１０の抜き取り方向に移動させることで当該接地測定用端子２１０をコンクリート柱２０１から抜き取るものであって、作用部１２０にはコンクリート柱２０１から抜き取られていく接地測定用端子２１０が当該作用部１２０に接触することを防止するための逃げ凹部１２３が形成されており、コンクリート柱２０１に埋め込まれている接地測定用端子２１０の抜き取りをスムーズ、かつ良好に行うことができる。すなわち、図１に示す接地測定用端子の取り外し工具１００を用いることで、従来のように足場ボルト３１０を揺らしながら作業者が腕力で抜き取りを行う必要はなく、安全、かつ作業効率よく、コンクリート柱２０１から接地測定用端子２１０を抜き取ることができる。
【００４３】
また、図１に示す接地測定用端子の取り外し工具１００においては、作用部１２０が２枚の板状部材１２２ａ，１２２ｂで構成されていると共に、接地測定用端子２１０をコンクリート柱２０１から抜き取る際には当該板状部材１２２ａ，１２２ｂの側端部が足場ボルト３１０のナット３１２に当接されるものであり、作用部１２０として十分な強度を保持したまま、取り外し工具１００の軽量化を図ることができる。
【００４４】
また、図１に示す接地測定用端子の取り外し工具１００においては、作用部１２０を構成する２枚の板状部材１２２ａ，１２２ｂの間に、係止部１２１の足場ボルト３１０に対する係止位置を規制し、かつ２枚の板状部材１２２ａ，１２２ｂの間隔を一定値に保持するためのスペーサ１２４が配されている。したがって、スペーサ１２４により、２枚の板状部材１２２ａ，１２２ｂの間隔が広がり過ぎて足場ボルト３１０への係止が不可能となることを防止でき、また、このスペーサ１２４の配置位置により、板状部材１２２ａ，１２２ｂに過度のストレスを与えず、しかも、作業者ができるだけ弱い力で抜き取りが可能となるように、係止部１２１の足場ボルト３１０に対する係止位置の目安を与えることができる。
【００４５】
また、図１に示す接地測定用端子の取り外し工具１００においては、握持部１１０が四角筒状のパイプ部材により形成されているので、当該握持部１１０にある程度の強度を持たせた状態で、取り外し工具１００の軽量化を図ることができる。
【００４６】
また、図１に示す接地測定用端子の取り外し工具１００においては、支点となる握持部１１０と作用部１２０との接続部分に逃げ凹部１１１が形成されているので、当該接続部分を２個所でコンクリート柱２０１に接触させることができ、コンクリート柱２０１から接地測定用端子２０１を抜き取る際に、支点となる握持部１１０と作用部１２０との接続部分をコンクリート柱２０１の外面に安定して接触させることができ、作業性を高めることができる。
【００４７】
なお、上述の実施の形態においては、コンクリート柱２０１に埋め込まれている接地測定用端子２１０に取り付けるボルト状部材として足場ボルト３１０を使用するものを示したが、従来のように足場ボルト３１０を揺らしながら腕力で接地測定用端子２１０を抜き取るものでなく、取り外し工具１００を用いて抜き取るものであり、従って、図６に示すように、足場ボルト３１０に代えて、持ち運びが容易な通常のボルト３５０を用いることもできる。
【００４８】
また、上述実施の形態においては、握持部１１０と作用部１２０とが別体として形成され、ボルト１３１およびナット１３２を用いて接続するものを示したが、これら握持部１１０と作用部１２０とが一体的に形成されていてもよい。
【００４９】
また、上述実施の形態においては、この発明を、コンクリート柱２０１から接地測定用端子２１０を抜き取る取り外し工具１００に適用したものであるが、この発明は、被取り付け体に埋め込まれた埋め込み部材を抜き取る取り外し工具にも同様に適用できることは勿論である。
【産業上の利用可能性】
【００５０】
この発明は、例えばコンクリート柱に埋め込まれた接地測定用端子を抜き取る場合に利用できる。
【図面の簡単な説明】
【００５１】
【図１】実施の形態としての接地測定用端子の取り外し工具の構成例を示す斜視図である。
【図２】実施の形態としての接地測定用端子の取り外し工具の構成例を示す正面図、左側面図および背面図である。
【図３】実施の形態としての接地測定用端子の取り外し工具の構成例を示す平面図、左側面図および底面図である。
【図４】取り外し工具を用いてコンクリート柱に埋め込まれた接地測定用端子を抜き取る場合の手順（１／２）を示す図である。
【図５】取り外し工具を用いてコンクリート柱に埋め込まれた接地測定用端子を抜き取る場合の手順（２／２）を示す図である。
【図６】コンクリート柱に埋め込まれた接地測定用端子に取り付けられるボルト状部材の他の例を示す図である。
【図７】配電柱の構成例を示す図である。
【図８】コンクリート柱の接地測定用端子が埋め込まれた部分を拡大して示す図である。
【図９】接地測定用端子の構成例を示す図である。
【図１０】足場ボルトの構成例を示す図である。
【図１１】足場ボルトを用いてコンクリート柱に埋め込まれている接地測定用端子を取り外す様子を示す図である。
【符号の説明】
【００５２】
１００・・・接地測定用端子の取り外し工具、１１０・・・握持部、１１１・・・逃げ凹部、１２０・・・作用部、１２１・・・係止部、１２２ａ，１２２ｂ・・・板状部材、１２３・・・逃げ凹部、１２４・・・スペーサ、１３３・・・補強用部材、２０１・・・コンクリート柱、２１０・・・接地測定用端子、２１２・・・ねじ穴、３１０・・・足場ボルト、３１１・・・雄ねじ部 
【図１】
2009039795.tif 000003
【図２】
2009039795.tif 000004
【図３】
2009039795.tif 000005
【図４】
2009039795.tif 000006
【図５】
2009039795.tif 000007
【図６】
2009039795.tif 000008
【図８】
2009039795.tif 000009
【図９】
2009039795.tif 000010
【図１０】
2009039795.tif 000011
【図１１】
2009039795.tif 000012
【図７】
2009039795.tif 000013